(57)【特許請求の範囲】
【請求項１】
補聴器と、この補聴器の動作設定を行うリモコンとを備え、
前記リモコンは本体ケースと、
この本体ケースの表面に設けた操作部と、
前記補聴器用の交換電池の収納部とを有する構造とした、補聴器システム。
【請求項２】
前記収納部は、前記本体ケースの表面側が開口部となった収納凹部を備え、この収納凹部は、前記交換電池よりも広い底面と、この底面の外周に設けられた側面とを有し、前記側面の少なくとも一部は、その底辺よりも上辺が収納凹部の外周方向に設けられた傾斜面とした請求項１に記載の補聴器システム。
【請求項３】
前記収納凹部の底面は長形とし、この長形底面の一端側を、他端側よりも横広とするとともに、この他端側の側面を前記傾斜面とした請求項２に記載の補聴器システム。
【請求項４】
前記収納部の底面に磁石を配置した請求項１に記載の補聴器システム。
【請求項５】
前記リモコンの本体ケースの一部に駆動電源収納部を設けるとともに、この駆動電源収納部に、前記補聴器用の交換電池の収納部を配置した請求項１または４に記載の補聴器システム。
【請求項６】
前記駆動電源収納部は開閉自在な蓋で覆った請求項５に記載の補聴器システム。
【請求項７】
前記蓋は、その一端側に開閉軸を有し、前記収納部の一端側をこの開閉軸側に配置した、請求項６に記載の補聴器システム。
【請求項８】
前記収納部に収納される前記交換電池は、底面に空気孔を有する空気電池で構成し、この交換電池の底面には、前記空気孔を覆うシートを設け、このシートの一部には前記交換電池外周方向に延長された延長部を有する請求項１から７のいずれか一つに記載の補聴器システム。
【請求項９】
補聴器と、この補聴器の動作設定を行うリモコンとを備え、
前記リモコンは本体ケースと、
この本体ケースの表面に設けた操作部と、
前記補聴器用の交換電池の収納部とを有する構造とし、
前記収納部は、前記本体ケースの表面側が開口部となった収納凹部を備え、この収納凹部は、前記交換電池よりも広い底面と、この底面の外周に設けられた側面とを有し、前記側面の少なくとも一部は、その底辺よりも上辺が収納凹部の外周方向に設けられた傾斜面とし、
前記収納部に収納される前記交換電池は、底面に空気孔を有する空気電池で構成し、この交換電池の底面には、前記空気孔を覆うシートを設け、このシートの一部には前記交換電池外周方向に延長された延長部を有し、
前記交換電池は、シートの延長部を収納部の他端側に向けて収納する補聴器システムにおける交換電池の収納方法。
【請求項１０】
前記収納凹部の底面は長形とし、この長形底面の一端側を、他端側よりも横広とするとともに、この他端側の側面を前記傾斜面とした請求項９に記載の補聴器システムにおける交換電池の収納方法。
【請求項１１】
前記収納凹部の底面に磁石を配置した請求項９または１０に記載の補聴器システムにおける交換電池の収納方法。
【請求項１２】
前記リモコンの本体ケースの一部に駆動電源収納部を設けるとともに、この駆動電源収納部に、前記補聴器用の交換電池の収納部を配置した請求項９から１１のいずれか一つに記載の補聴器システムにおける交換電池の収納方法。
【請求項１３】
前記駆動電源収納部は開閉自在な蓋で覆った請求項１２に記載の補聴器システムにおける交換電池の収納方法。
【請求項１４】
前記蓋は、その一端側に開閉軸を有し、前記収納凹部の一端側をこの開閉軸側に配置した、請求項１３に記載の補聴器システムにおける交換電池の収納方法。
【発明の詳細な説明】
【技術分野】
【０００１】
本発明は、補聴器とその動作設定を行うリモコンとを備えた補聴器システムと、その交換電池の収納方法に関するものである。
【背景技術】
【０００２】
補聴器と、この補聴器の動作設定を行うリモコンとを備えた補聴器システムにおいては、例えば、補聴器の音量調整はリモコンによって行われる。このような補聴器システムにおいては、補聴器にもリモコンにも電池を収納させておかねばならないが、補聴器は、耳に装着するものであるので、小型化する必要がある。そのため、この補聴器に収納される電池も小さなものとなり、必然的に電池寿命も短くなる。そこで、補聴器を装着した状態で出かけるときには、交換電池を別途携帯することが良く行われている。このような、交換電池の携帯は、例えば、この交換電池を充電する充電器内に収納させた状態で行われることも有る（例えば、特許文献１参照）。
【先行技術文献】
【特許文献】
【０００３】
【特許文献１】実用新案登録第３１３３２４２号公報
【発明の概要】
【発明が解決しようとする課題】
【０００４】
前記従来例における課題は、使い勝手が悪いということであった。すなわち、交換電池の携帯には、充電器を持ち歩く必要があり、このように交換電池の携帯だけのことを考えると、本来持ち歩く必要のない充電器を持ち歩くことは手荷物の増加につながり使い勝手が悪くなるのであった。
【０００５】
そこで本発明は、使い勝手を向上することを目的とするものである。
【課題を解決するための手段】
【０００６】
そして、この目的を達成するために本発明は、補聴器と、この補聴器の動作設定を行うリモコンとを備え、前記リモコンは本体ケースと、この本体ケースの表面に設けた操作部と、前記補聴器用の交換電池の収納部とを有する構造とし、これにより所期の目的を達成するものである。
【発明の効果】
【０００７】
以上のように、本発明は、補聴器と、この補聴器の動作設定を行うリモコンとを備え、前記リモコンは本体ケースと、この本体ケースの表面に設けた操作部と、前記補聴器用の交換電池の収納部とを有する構造としたものであるので、使い勝手を向上することが出来る。
【０００８】
すなわち、本発明においては、補聴器操作のために必然的に携帯するリモコンに交換電池の収納部を設けたものであるので、この交換電池の携帯のために余分なものを持ち歩く必要はなく、その結果として、使い勝手を向上することが出来るのである。
【図面の簡単な説明】
【０００９】
【図１】本発明の実施の形態１における補聴器システムを示す斜視図
【図２】同制御ブロック図
【図３】同補聴器の斜視図
【図４】同リモコンの平面図
【図５】同リモコンの斜視図
【図６】同リモコンの平面図
【図７】同交換電池の斜視図
【図８】同交換電池の平面図
【図９】同リモコンの斜視図
【図１０】同リモコンの斜視図
【図１１】同リモコンの斜視図
【発明を実施するための形態】
【００１０】
以下、本発明の一実施形態を添付図面を用いて説明する。
【００１１】
（実施の形態１）
図１に示すごとく、本発明の実施の形態１にかかる補聴器システムは、使用者１の左右の耳２にそれぞれ装着される補聴器３と、この補聴器３の動作設定を行うリモコン４とを備えている。
【００１２】
これらの補聴器３およびリモコン４の構造自体は、よく知られているように、図２に示すようになっている。すなわち、補聴器３はマイク５で捉えた音を、制御部６で補聴処理し、図２、図３のレシーバ７から放出するようになっている。そして、これらのマイク５、制御部６、レシーバ７は、電池８によって駆動されるようになっている。
【００１３】
また、リモコン４は図４の操作部９を操作すると、制御部１０、送信部１１により、補聴器３の受信部１２に対して音量調整をすることが出来るようになっている。したがって、補聴器３の使用者は、リモコン４は常に補聴器３とセットのものとして携帯するようになっている。
【００１４】
以上の構成は、よく知られた構造であるが、本実施形態は、上述のごとく補聴器３とセットのものとして常に携帯するリモコン４に対して、以下のような特徴的な構成を追加した。
【００１５】
本実施携帯のリモコン４は、図４、図５に示すように本体ケース１３と、この本体ケース１３の表側に表面に設けた操作部９と、この本体ケース１３の裏側に設けた前記補聴器３の交換電池（図７、図８の１４）の収納部（図６の１５）とを有する構造となっている。
【００１６】
また、収納部１５は、リモコン４の駆動電源１６を収納する駆動電源収納部１７の両側に設けられているものであって、前記駆動電源収納部１７、収納部１５は図５、図６に示すように開閉自在な蓋１８で覆われている。
【００１７】
前記収納部１５は、図６、図９から理解されるように、前記本体ケース１３の裏側の表面側が開口部となった収納凹部１５ａを備え、この収納凹部１５ａは、前記交換電池１４よりも広い底面と、この底面の外周に設けられた側面とを有し、前記収納凹部１５ａの底面は長形とし、この長形底面の一端側を、他端側よりも横広とする。なお、収納凹部１５ａの一端側は、図６、図９に示すように蓋１８の一端側の開閉軸１９であって、図６において、下方側となった他端側よりも横広（一端と他端を結ぶ線に対して直行する方向を横方向と称する）としている。
【００１８】
また、このような長形の収納凹部１５ａの外周に設けられた側面のうち、前記一端側と他端側の部分は、その底辺よりも上辺が収納凹部１５ａの外周方向に設けられた傾斜面１５ｂとしている。
【００１９】
さらに、前記収納凹部１５ａの底面にはシート状の磁石（図面な煩雑化を避けるために符号は付していない）を配置している。
【００２０】
つまり、本実施形態において特徴的なのは、リモコン４の駆動電源１６を収納する駆動電源収納部１７の両側に、交換電池１４の収納部１５を設けたことである。このため、交換電池１４は、常に携帯するリモコン４内に収納することが出来るようになり、その結果として、交換電池１４を別途持ち歩く必要はなく、きわめて使い勝手のよいものとなる。
【００２１】
また、このように前記収納部１５に収納される前記交換電池１４は、底面に空気孔（図示せず）を有する空気電池で構成されており、この交換電池１４の底面には、図７、図８に示すように、前記空気孔を覆うシート２０を設けている。このシート２０の一部は前記交換電池１４の外周方向に延長された延長部２０ａを有する。
【００２２】
さて、このような交換電池１４の外周は、磁性体（例えば鉄）によって構成されているので、これを前記収納部１５に収納させるときには、図６、図９に示すようにシート２０側を収納凹部１５ａの底面側として収納させれば、前記磁石（図面な煩雑化を避けるために符号は付していない）の磁気吸引力によって吸着収納される。
【００２３】
また、この時、交換電池１４は収納凹部１５ａ内において、その延長部２０ａ側が他端側となるように収納させている。
【００２４】
このため、補聴器３の電池８を交換するために収納部１５から交換電池１４を取り出すときには、まずは、図６、図９に示すごとく蓋１８を開放し、次に、交換電池１４を収納凹部１５ａの一端側から他端側へと、例えば人差し指の指先で押し出すことになる。このようにすると、交換電池１４は、図１０に示すように収納凹部１５ａの一端側から他端側へと、この収納凹部１５ａの底面を滑りながら移動し、やがては図１０に示すごとくこの収納凹部１５ａの他端側の傾斜面１５ｂに到達する。
【００２５】
そして、その状態からさらに交換電池１４を指先で他端側へと押せば、図１１に示すごとく、この交換電池１４は傾斜面１５ｂを上った傾斜状態となり、このとき、図１１に現れているように交換電池１４に貼り付けたシート２０の延長部２０ａが収納凹部１５ａ外へと突出した状態となる。
【００２６】
この状態になると、収納凹部１５ａ外へと突出したシート２０の延長部２０ａを親指と人差し指で摘んだ状態で交換電池１４を収納凹部１５ａ外へと摘み出す。そして、このように摘み出した交換電池１４から、シート２０を引き剥がし、この交換電池１４を補聴器３の電池８と交換する。
【００２７】
この、交換済みの電池８は、収納凹部１５ａに磁力で吸着させて保管することができ、その場合、使用済みの電池８と未使用の交換電池１４とは、シート２０（延長部２０ａ）の存在により、容易に見分けることができる。
【００２８】
なお、この実施形態においては、収納凹部１５ａの底面部に設ける磁石は、シート状としたが、収納凹部１５ａの底面部を構成する壁面の下方に成型体状（例えば、直方体や円柱体）の磁石を配置してもよい。
【産業上の利用可能性】
【００２９】
以上のように、本発明は、補聴器と、この補聴器の動作設定を行うリモコンとを備え、前記リモコンは本体ケースと、この本体ケースの表面に設けた操作部と、前記補聴器用の交換電池の収納部とを有する構造としたものであるので、使い勝手を向上することが出来る。
【００３０】
すなわち、本発明においては、補聴器操作のために必然的に携帯するリモコンに交換電池の収納部を設けたものであるので、この交換電池の携帯のために余分なものを持ち歩く必要はなく、その結果として、使い勝手を向上することが出来るのである。
【００３１】
したがって、補聴器システムとしての活用が期待されるものである。
【符号の説明】
【００３２】
１  使用者
２  耳
３  補聴器
４  リモコン
５  マイク
６  制御部
７  レシーバ
８  電池
９  操作部
１０  制御部
１１  送信部
１２  受信部
１３  本体ケース
１４  交換電池
１５  収納部
１５ａ  収納凹部
１５ｂ  傾斜面
１６  駆動電源
１７  駆動電源収納部
１８  蓋
１９  開閉軸
２０  シート
２０ａ  延長部
【図１】
0005678274.tif 000002
【図２】
0005678274.tif 000003
【図３】
0005678274.tif 000004
【図４】
0005678274.tif 000005
【図５】
0005678274.tif 000006
【図６】
0005678274.tif 000007
【図７】
0005678274.tif 000008
【図８】
0005678274.tif 000009
【図９】
0005678274.tif 000010
【図１０】
0005678274.tif 000011
【図１１】
0005678274.tif 000012